(57)【要約】【課題】三脚に支持された場合の撮像装置の姿勢を安定させる。【解決手段】撮像装置であって、三脚に取り付けられる取付穴が設けられた取付面を有し、取付面には、それぞれが段差で囲まれており、取付面の長手方向に沿って少なくとも取付穴の一方側に凹部が複数設けられる。上記撮像装置において、凹部は、長手方向に直交する方向にも複数配されてもよい。また、上記撮像装置において、複数の凹部は、長手方向および長手方向に直交する方向に整列してもよい。【選択図】図３
2014021395.tif 000002
【特許請求の範囲】
【請求項１】
三脚に取り付けられる取付穴が設けられた取付面を有し、
前記取付面には、それぞれが段差で囲まれており、前記取付面の長手方向に沿って少なくとも前記取付穴の一方側に複数の凹部が設けられた撮像装置。
【請求項２】
前記複数の凹部は、前記長手方向に直交する方向にも複数配される請求項１に記載の撮像装置。
【請求項３】
前記複数の凹部は、前記長手方向および前記長手方向に直交する方向に、整列している請求項２に記載の撮像装置。
【請求項４】
前記複数の凹部は、千鳥配置されている請求項２に記載の撮像装置。
【請求項５】
前記複数の凹部は互いに同一の形状を有する請求項１から４のいずれか１項に記載の撮像装置。
【請求項６】
前記取付面において、三脚に取り付けた場合に三脚台表面に当接する当接面の面積が１０３４ｍｍ２以上であり、且つ、前記段差の縁部の合計長さが３７２ｍｍ以上である請求項１から請求項５までのいずれか一項に記載の撮像装置。
【請求項７】
前記当接面の面積が１５００ｍｍ２以上である請求項６に記載の撮像装置。
【請求項８】
前記当接面の面積が２２９７ｍｍ２以下である請求項６または請求項７に記載の撮像装置。
【請求項９】
前記当接面の面積が１９５０ｍｍ２以下である請求項８に記載の撮像装置。
【請求項１０】
前記段差の縁部の合計長さが９５０ｍｍ以上である請求項６から請求項９までのいずれか一項に記載の撮像装置。
【請求項１１】
前記段差の縁部の合計長さが１２１４ｍｍ以上である請求項１０に記載の撮像装置。
【請求項１２】
前記複数の凹部のひとつが、下記の式を満たす長円形の形状を有する請求項６から請求項１１までのいずれか一項に記載の撮像装置。
１≦Ｐ／Ｑ＜３
ただし、Ｐは前記複数の凹部のひとつにおける長径を、Ｑは前記複数の凹部のひとつにおける短径を、それぞれ表す。
【請求項１３】
三脚に取り付ける場合に三脚ねじが挿通される取付穴が設けられた取付面を有し、
前記取付面は、段差で囲まれ、前記取付穴から前記取付面の長手方向に対して斜めに延伸した凹部を有する撮像装置。
【請求項１４】
前記取付面は、段差で囲まれ、前記取付穴から前記取付面の長手方向に延伸した他の凹部をさらに有する請求項１３に記載の撮像装置。
【請求項１５】
前記取付面は、段差で囲まれ、前記取付穴から前記取付面の長手方向に直交する方向に延伸した他の凹部をさらに有する請求項１４に記載の撮像装置。
【発明の詳細な説明】
【技術分野】
【０００１】
本発明は、撮像装置に関する。
【背景技術】
【０００２】
三脚において撮像装置の取り付け穴に三脚の締結ねじが締結されて、当該撮像装置が三脚に支持される（特許文献１参照）。
［特許文献１］特開２００５−０１８００５号公報
【発明の概要】
【発明が解決しようとする課題】
【０００３】
しかしながら、撮像装置に重いレンズユニットが装着された状態で三脚に取り付けられ、当該撮像装置が縦位置に向けられたときに、レンズユニットの重量によるモーメントにより撮像装置が傾くことがある。
【課題を解決するための手段】
【０００４】
本発明の一態様として、三脚に取り付けられる取付穴が設けられた取付面を有し、取付面には、それぞれが段差で囲まれており、取付面の長手方向に沿って少なくとも取付穴の一方側に凹部が複数設けられた撮像装置が提供される。
【０００５】
本発明の第二態様によると、三脚に取り付ける場合に三脚ねじが挿通される取付穴が設けられた取付面を有し、前記取付面は、段差で囲まれ、前記取付穴から前記取付面の長手方向に対して斜めに延伸した凹部を有する撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】カメラボディ１００の斜視図である。
【図２】カメラボディ１００の使用状態を示す模式図である。
【図３】取付面２００の斜視図である。
【図４】取付面２００の平面図である。
【図５】取付面２００の断面図である。
【図６】取付面２０１の平面図である。
【図７】取付面２０２の平面図である。
【図８】取付面２０３の斜視図である。
【図９】取付面２０３の平面図である。
【図１０】取付面２０３の断面図である。
【図１１】取付面２０４の斜視図である。
【図１２】取付面２０４の平面図である。
【図１３】取付面２０４の断面図である。
【図１４】取付面２０５の平面図である。
【図１５】取付面２０６の平面図である。
【図１６】取付面２０６の断面図である。
【図１７】摩擦力評価設備４００の模式的平面図である。
【図１８】摩擦力評価設備４００の模式的側面図である。
【図１９】測定結果を示すグラフである。
【図２０】取付面２００〜２０６の寸法を示す表である。
【図２１】取付面２００〜２０６の寸法を示すグラフである。
【図２２】取付面２００〜２０６の寸法を示すグラフである。
【図２３】取付面２０７の平面図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、一眼レフカメラのカメラボディ１００を示す斜視図である。カメラボディ１００は、マウント１０２および三脚ねじ１０３を有する筐体１０１を備える。
【００１０】
カメラボディ１００において、レンズユニットを取り付けるマウント１０２が配された面を筐体１０１の前面と呼ぶ。また、三脚に取り付ける場合に用いる三脚ねじ１０３が配された面を、筐体１０１の底面と呼ぶ。図示するように、カメラボディ１００へ向かう光軸に平行な方向をＺ軸プラス方向と定め、カメラボディ１００を横位置に構えて撮影するときの水平方向をＸ軸、垂直方向をＹ軸とする。
【００１１】
マウント１０２は、予め定められた寸法と形状を有し、レンズユニット側のマウント部と嵌合する。これにより、カメラボディ１００は、様々なレンズユニットを装着して撮像ができる。
【００１２】
三脚ねじ１０３は、筐体１０１の底面に形成された雌ねじであり、一端が開口して三脚ねじ穴２２０を形成する。三脚ねじ穴２２０から三脚のカメラねじがねじ込まれることにより、カメラボディ１００が三脚に対して固定される。三脚ねじ１０３は規格化されているので、カメラボディ１００を様々な三脚に取り付けることができる。
【００１３】
筐体１０１は、底面に取付面２００を有する。取付面２００は、三脚ねじ穴２２０の周囲に、筐体１０１の底面から隆起して形成される。これにより、三脚ねじ１０３を用いてカメラボディ１００を三脚に取り付けた場合には、取付面２００が三脚のカメラ台に当接する。
【００１４】
筐体１０１の底面は、Ｚ軸方向よりもＸ軸方向に長い形状を有する。取付面２００も、筐体１０１の底面の形状に倣って、Ｚ軸方向よりもＸ軸方向に長い形状を有する。
【００１５】
取付面２００は、筐体１０１の一部として筐体１０１と共に成形されてもよいし、取付面２００を含む独立した部品を筐体１０１に取り付けてもよい。取付面２００は、樹脂、金属等の硬質な材料により形成できる。
【００１６】
なお、カメラボディ１００の筐体１０１は、分割された複数の部品を組み合わせて形成される場合がある。取付面２００がこのような筐体１０１の表面に形成される場合、取付面２００も、複数の部品にそれぞれ形成された複数の領域を組み合わせて形成される場合がある。
【００１７】
図２は、カメラボディ１００の使用状態を示す模式図である。図示のカメラボディ１００には、レンズユニット１１０が装着されている。また、カメラボディ１００は、三脚３００に取り付けて固定されている。
【００１８】
三脚３００は、雲台３０１を介してカメラボディ１００を支持する。雲台３０１は、複数のヒンジを有し、カメラボディ１００を任意の姿勢で固定できる。図示の場合は、カメラボディ１００は縦位置、すなわちカメラボディ１００のＹ軸が水平方向となる向きに固定されている。
【００１９】
この姿勢において、カメラボディ１００の筐体１０１底面の長手方向が図中で縦長になる。カメラ台３０２におけるカメラボディ１００に対して反対側には、筐体１０１の三脚ねじ１０３にねじ込むカメラねじ３０３の頭部が見える。
【００２０】
図示の状態において、レンズユニット１１０の重量は、カメラボディ１００をカメラねじ３０３の周りに図中時計廻りに回転させる回転モーメントとして作用する。また、レンズユニット１１０の重量によりカメラボディ１００が回転する場合の回転方向は、カメラねじ３０３を緩める方向になる。このため、筐体１０１の取付面２００は、カメラ台３０２に対するカメラボディ１００の回転を抑制することが望まれる。
【００２１】
図３は、取付面２００を単独で拡大して示す斜視図である。なお、カメラボディ１００は、図示のような板状の独立した部材を備えるとは限らず、筐体１０１の一部として一体的に成形される場合もある。取付面２００は、銘板枠２１１、三脚ねじ穴２２０および凹部２３１、２２９を有する。
【００２２】
銘板枠２１１は、銘板を取り付ける位置を示す。銘板は、カメラボディ１００の製造者、型番、製造番号等を表示する。銘板枠２１１は、取り付けた銘板が、取付面２００の表面から突出することを防止する目的で、取付面２００の最表面から、銘板の厚さよりも大きな深さで陥没して形成される。三脚ねじ穴２２０は、三脚ねじ１０３にカメラねじをねじ込む場合に、カメラねじ３０３を挿通させる。
【００２３】
取付面２００において、銘板枠２１１および三脚ねじ穴２２０が形成された領域を除く領域には複数の凹部２３１が配される。複数の凹部２３１は互いに同じ形状を有するが、図の例においては、三脚ねじ穴２２０の左右の直近に配された凹部２２９のみ大きさが異なる。
【００２４】
図４は、取付面２００の平面図である。図３と同じ要素には共通の参照番号を付して重複する説明を省く。
【００２５】
取付面２００において、凹部２３１の各々は、両端が曲線をなす長穴状の形状を有する。また、凹部２３１は、凹部２３１自体の長手方向が、取付面２００の長手方向と一致する向きに配される。
【００２６】
取付面２００においては、取付面２００の長手方向と、当該長手方向に直交する方向とに沿って、それぞれ略等間隔で複数の凹部２３１が配される。また、取付面２００の長手方向については、三脚ねじ穴２２０の少なくとも一方の側方に、複数の凹部２３１が配される。図４においては、三脚ねじ穴２２０の左側に３つの凹部２３１が配される。取付面２００の図中下縁と銘板枠２１１との間の細い領域にもいくつかの凹部２３１が配される。
【００２７】
図中で点線Ｂにより包囲した三脚ねじ穴２２０の周囲の領域は、三脚ねじ１０３を三脚ねじ１０３に締め込んだ場合に、取付面２００が三脚３００のカメラ台３０２に押しつけられる領域となる。点線Ｂにおいて、三脚ねじ穴２２０は、複数の凹部２３１により包囲される。
【００２８】
なお、取付面２００における凹部２３１の寸法および配列ピッチの一例を図中に記載した。また、三脚ねじ穴２２０の寸法を併せて記載した。各寸法およびピッチの単位はミリメートルである。凹部２３１の深さは０．３ｍｍである。
【００２９】
図５は、取付面２００の断面図である。図示の断面は、図４に点線Ａで示すように、三脚ねじ穴２２０を含む、取付面２００の長手方向の断面である。図３および図４と共通の要素には同じ参照番号を付して重複する説明を省く。
【００３０】
取付面２００において、凹部２３１の各々の表面は、取付面の表面（図中では下面）から陥没する。これにより、凹部２３１の各々の周縁には取付面２００に対する段差が生じ、取付面２００と段差との境界には鋭利なエッジ２３０が形成される。これにより、凹部２３１の各々は、段差とその縁部に形成されたエッジ２３０とにより包囲される。
【００３１】
また、図示の断面において、三脚ねじ穴２２０の図中左側には複数の凹部２３４が配される。よって、図４に点線Ｂで示した領域において、三脚ねじ穴２２０の側方には複数のエッジ２３０が配される。これらのエッジ２３０は、カメラボディ１００を三脚３００に取り付けた場合に、カメラ台３０２に当接する。
【００３２】
上記のような構造を有する取付面２００においては、それぞれが段差により囲まれた凹部２３１が、三脚ねじ穴２２０を包囲する。また、取付面２００の長手方向については、三脚ねじ穴２２０の側方に複数の凹部２３１が配される。このような構造により、取付面２００は、カメラボディ１００が三脚３００に取り付けられた場合に、取付面２００がカメラ台３０２に対して高い摩擦力を生じ、カメラ台３０２に対する摺動を抑制する。
【００３３】
図６は、他の取付面２０１の平面図である。取付面２０１は、次に説明する部分を除くと、図３、図４および図５に示した取付面２００と同じ構造を有する。よって、共通の要素には同じ参照番号を付して重複する説明を省く。
【００３４】
図６に示す取付面２０１は、凹部２３２の幅、即ち、取付面２０１の長手方向と直交する方向について、凹部２３２の寸法が小さくなっている点において、取付面２００と異なる。取付面２０１における凹部２３２の数および配置は、取付面２００と変わらない。なお、一例として、図中に当該寸法を記載した。凹部２３２の深さは０．３ｍｍとした。
【００３５】
よって、取付面２００と比較すると、取付面２０１においては、凹部２３２の面積が相対的に小さく、凹部２３２が形成されていない平坦な領域の面積が相対的に大きい。しかしながら、図中に矢印Ａで示す断面において形成されるエッジの数等は、取付面２００と変わらない。
【００３６】
図７は、他の取付面２０２の平面図である。取付面２０２は、次に説明する部分を除くと、図３、図４および図５に示した取付面２００と同じ構造を有する。よって、共通の要素には同じ参照番号を付して重複する説明を省く。
【００３７】
図７に示す取付面２０２は、凹部２３３の長さおよび幅、即ち、取付面２０２の長手方向の凹部２３２の寸法と、当該長手方向と直交する方向の凹部２３３の寸法とが、いずれも取付面２００の凹部２３１よりも小さい点において、取付面２００、２０１と異なる。一例としての寸法を図中に示す。なお、凹部２３３の深さは０．３ｍｍとした。
【００３８】
これにより、取付面２０２における凹部２３３の数は、取付面２００、２０１よりも増加している。また、取付面２０２における凹部２３１相互の間隔も、取付面２００、２０１よりも狭い。
【００３９】
よって、取付面２００、２０１と比較すると、取付面２０２においては、凹部２３２の合計面積が相対的に大きく、凹部２３２が形成されていない平坦な領域の面積が相対的に小さい。更に、図中に矢印Ａで示す断面において形成されるエッジの数も増加している。
【００４０】
また、取付面２００と比較すると、取付面２０２においては、個々の凹部２３２の面積は相対的に小さいが、凹部２３３の数が増加しているので、凹部２３２の合計面積はあまり変わらない。また、凹部２３３の周囲に形成されるエッジ２３０の長さの合計は、むしろ取付面２００、２０１に対して増加している。
【００４１】
図８は、他の取付面２０３を単独で示す斜視図である。取付面２０３は、次に説明する部分を除くと、図７までに示した他の取付面２００、２０１、２０２と同じ構造を有する。よって、共通の要素には同じ参照番号を付して重複する説明を省く。
【００４２】
取付面２０３において、銘板枠２１１および三脚ねじ穴２２０が形成された領域を除く領域には複数の凹部２３４が配される。複数の凹部２３４の各々は、円環状の形状を有する。
【００４３】
図９は、取付面２０３の平面図である。図８と同じ要素には共通の参照番号を付して重複する説明を省く。
【００４４】
取付面２０３において、凹部２３４は、図中の縦方向および横方向のそれぞれについて等間隔に配される。また、取付面２０３の長手方向について、凹部２３４は一直線上に配される。一方、取付面２０３の長手方向と直交する方向については、凹部２３４は千鳥状に配置される。
【００４５】
凹部２３４は、互いに同じ形状を有する。取付面２０３における凹部２３４の寸法および配列ピッチの一例を、単位をミリメートルとして図中に記載した。凹部２３４の深さは０．３ｍｍとした。
【００４６】
図１０は、取付面２０３の断面図である。図示の断面は、図９に点線Ａで示すように、三脚ねじ穴２２０を含む断面に相当する。図８および図９と共通の要素には同じ参照番号を付して重複する説明を省く。
【００４７】
取付面２０３において、凹部２３４の各々は、取付面２０３の表面（図中では下面）から陥没して形成される。これにより、凹部２３４の各々の内周縁および外周縁には、それぞれ取付面２０３に対する段差が形成される。よって、取付面２０３と段差との境界には鋭利なエッジ２３０が形成される。これにより、凹部２３４の各々は、段差とその縁部に形成されたエッジ２３０により包囲される。
【００４８】
また、図示の断面において、三脚ねじ穴２２０の図中左側には複数の凹部２３４が配される。さらに図９に点線Ｂで示した領域においても、三脚ねじ穴２２０の側方には複数のエッジ２３０が配される。これらのエッジ２３０は、三脚３００に取り付けた場合に、カメラ台３０２に当接する。
【００４９】
上記のような構造を有する取付面２０３においては、それぞれが内周および外周の段差により囲まれた凹部２３１が、三脚ねじ穴２２０を包囲する。これにより、三脚ねじ穴２２０の側方に位置するエッジ２３０の数はより多くなる。よって、取付面２０３は、カメラボディ１００を三脚３００に取り付けた場合にカメラ台３０２に対して高い摩擦力を生じ、カメラ台３０２に対する摺動を抑制する。
【００５０】
図１１は、他の取付面２０４を単独で示す斜視図である。取付面２０４は、次に説明する部分を除くと、図１０までに示した他の取付面２００、２０１、２０２、２０３と同じ構造を有する。よって、共通の要素には同じ参照番号を付して重複する説明を省く。
【００５１】
取付面２０４において、銘板枠２１１および三脚ねじ穴２２０が形成された領域を除く領域には複数の凹部２３５が配される。複数の凹部２３１の各々は、円形の形状を有する。
【００５２】
図１２は、取付面２０４の平面図である。図１１と同じ要素には共通の参照番号を付して重複する説明を省く。
【００５３】
取付面２０４において、凹部２３５は、図中の縦方向および横方向のそれぞれについて等間隔に配される。また、凹部２３５は、互いに同じ形状を有する。取付面２０４における凹部２３５の寸法および配列ピッチの一例を、単位をミリメートルとして図中に記載した。凹部２３５の深さは０．３ｍｍとした。
【００５４】
図１３は、取付面２０４の断面図である。図示の断面は、図１２に点線Ａで示すように、三脚ねじ穴２２０を含む断面に相当する。図１１および図１２と共通の要素には同じ参照番号を付して重複する説明を省く。
【００５５】
取付面２０４において、凹部２３５の各々は、取付面２０４の表面（図中では下面）から陥没して形成される。これにより、凹部２３５の各々の内周縁および外周縁には、それぞれ取付面２０４に対する段差が形成される。よって、取付面２０４と段差との境界には鋭利なエッジ２３０が形成される。これにより、凹部２３５の各々は、段差とその縁部に形成されたエッジ２３０により包囲される。
【００５６】
また、図示の断面において、三脚ねじ穴２２０の図中左側には複数の凹部２３５が配される。よって、図１２に点線Ｂで示した領域において、三脚ねじ穴２２０の側方には複数のエッジ２３０が配される。これらのエッジ２３０は、三脚３００に取り付けた場合に、カメラ台３０２に当接する。
【００５７】
上記のような構造を有する取付面２０４においては、それぞれが段差により囲まれた凹部２３１が、三脚ねじ穴２２０を包囲する。これにより、三脚ねじ穴２２０の側方には複数のエッジ２３０が配される。よって、取付面２０４は、カメラボディ１００を三脚３００に取り付けた場合にカメラ台３０２に対して高い摩擦力を生じ、カメラ台３０２に対する摺動を抑制する。
【００５８】
図１４は、比較のために用意した取付面２０５の平面図である。他の取付面２００、２０１、２０２、２０３、２０４と共通の要素には同じ参照番号を付して重複する説明を省く。
【００５９】
取付面２０５は、銘板枠２１１を除くと全く平坦な表面を有する。よって、取付面２０５を有するカメラボディ１００を三脚３００に取り付けた場合、取付面２０５は、銘板枠２１１の内側の除く全面でカメラ台３０２に当接する。
【００６０】
図１５も、比較のために用意した他の取付面２０６の平面図である。他の取付面２００、２０１、２０２、２０３、２０４と共通の要素には同じ参照番号を付して重複する説明を省く。
【００６１】
取付面２０６は、銘板枠２１１以外の領域に、取付面２０６の長手方向と平行な線状の凸部２３６を有する。線状の凸部２３６は、図中縦方向に、等間隔に配される。凸部２３６の高さは０．３ｍｍとした。
【００６２】
図１６は、取付面２０６の断面図である。図示の断面は、図１５に点線Ａで示すように、三脚ねじ穴２２０を含む断面に相当する。図１５と共通の要素には同じ参照番号を付して重複する説明を省く。
【００６３】
図示の断面において、三脚ねじ穴２２０の図中側方には、それぞれ単一の凹部が配される。取付面２０６において、凸部２３６の間に形成される凹部は少なくとも一端が開放されているので、段差により囲まれてはいない。このため、三脚３００に取り付けた場合には、凸部２３６と凹部の間の単一のエッジ２３０がカメラ台３０２に当接する。
【００６４】
図１７は、図３から図１６までに示した取付面２００、２０１、２０２、２０３、２０４、２０５、２０５を試料として、それぞれの摩擦力を比較する目的で使用した摩擦力評価設備４００の構造を模式的に示す平面図である。摩擦力評価設備４００は、定盤４１０、コルクボード４２０、係止ピン４４０、ロープ４５０およびプッシュプルゲージ４６０を備える。
【００６５】
コルクボード４２０は、定盤４１０の平坦な天面に固定される。係止ピン４４０は、定盤４１０の天面から垂直に起立して、コルクボード４２０を貫通し、コルクボード４２０の表面から突出した状態で固定される。摩擦力を評価する対象となる取付面２００、２０１、２０２、２０３、２０４、２０５、２０６の試料４３０は、三脚ねじ穴２２０に係止ピンを挿通された状態で、コルクボード４２０の上に水平に置かれる。
【００６６】
ロープ４５０の一端は、係止ピン４４０から離れた位置で試料４３０に結合される。ロープ４５０の他端は、プッシュプルゲージ４６０に結合される。よって、試料４３０から遠ざかる方向にプッシュプルゲージ４６０を移動させた場合、ロープ４５０を通じてプッシュプルゲージ４６０に結合された試料４３０は、係止ピン４４０の周囲を回転する。
【００６７】
図１８は、摩擦力評価設備４００の縦断面図である。図１７と同じ要素には共通の参照番号を付して重複する説明を省く。
【００６８】
摩擦力評価設備４００においては、試料４３０の上に錘４７０を載せた状態で試料４３０を評価する。コルクボード４２０は、試料４３０の表面全体に加重がかけられる寸法を有する。これにより、試料４３０とコルクボード４２０との間には均一な摩擦力が作用する状態になる。
【００６９】
上記のような摩擦力評価設備４００において、プッシュプルゲージ４６０を試料４３０から遠ざかる方向に移動させた場合に、試料４３０が係止ピン４４０の周囲で回転し始めた場合のプッシュプルゲージ４６０の測定結果により、試料４３０のコルクボード４２０に対する摩擦力を評価する。これにより、図２に示したように、三脚３００に縦位置で固定したカメラボディ１００の安定性を評価できる。
【００７０】
図１９は、上記の摩擦力評価設備４００において、取付面２００、２０１、２０２、２０３、２０４、２０５、２０６をそれぞれ評価した結果を示すグラフである。それぞれの試料４３０に対して複数回の測定を行い、平均値をグラフに記載した。なお、測定値の分布範囲もグラフに併せて記載した。
【００７１】
図示のように、取付面２００、２０１、２０２、２０３、２０４に対応する試料４３０は、この順で摩擦力が大きく、いずれも良好な摩擦力を示した。また、取付面２０５に対応する試料４３０は、取付面２００、２０１、２０２、２０３、２０４よりも摩擦力が小さく、測定値のばらつきの範囲が大きかった。取付面２０６に対応する試料４３０は、取付面２０５に対応する試料４３０よりも摩擦力が低かった。
【００７２】
また、長円形の凹部２３１、２３２、２３３を有する取付面２００、２０１、２０２については、凹部２３１、２３２、２３３の形状が下記の式１を満たす場合に、良好な結果が得られることが判る。
１≦Ｐ／Ｑ＜３・・・式１
ただし、Ｐはひとつの凹部の長径を、Ｑはひとつの凹部の短径を、それぞれ表す。
【００７３】
図２０は、取付面２００、２０１、２０２、２０３、２０４、２０５、２０６のそれぞれにおいてカメラ台３０２に当接する面の面積と、それぞれにおけるエッジ２３０の合計長さとを示す表である。また、上記当接する面の面積について、凹部２２９、２３１、２３２、２３３、２３４、２３５、２３７、２３８、２３９または凸部２３６を有していない取付面２０５に対する他の取付面２００、２０１、２０２、２０３、２０４、２０６の比も併せて記載した。
【００７４】
なお、図２０において、「全領域」は、取付面２００、２０１、２０２、２０３、２０４、２０５、２０６全体を対象として示す。また、「部分領域」は、取付面２００、２０１、２０２、２０３、２０４、２０５、２０６においてカメラ台３０２が当接する領域を示す。即ち、図４、図６、図７、図９、図１２、図１４、図１５にそれぞれ点線Ｂで示した領域においてカメラ台３０２に当接する面の面積を意味する。
【００７５】
また、図１４に示した取付面２０５に関して図２０に示した「エッジ長」は、「全領域」の欄においては、三脚ねじ穴２２０の周囲に形成されるエッジの長さに加えて、取付面２０５全体の外周の周長も「エッジ長」に算入している。しかしながら、「部分領域」の欄においては、三脚ねじ穴２２０の周囲に形成されるエッジの長さを「エッジ長」として記載し、点線Ｂで示す領域内に含まれる外周部分の長さを「エッジ長」に算入していない。
【００７６】
更に、図２０における全領域の値をグラフ化して図２１に示す。また、図２０における部分領域の値をグラフ化して図２２に示す。
【００７７】
図２０、図２１、図２２から判るように、取付面２００、２０１、２０２、２０３、２０４においてカメラ台３０２に当接する面の合計面積は、１０３４ｍｍ２以上であることが好ましい。当該面積は、１５００ｍｍ２以上であることがより好ましい。一方、当該合計面積が２２９７ｍｍ２以上であるとエッジが形成できないので、２２９７ｍｍ２以下であることが好ましい。さらに１９５０ｍｍ２以下であることがより好ましい。
【００７８】
更に、凹部２３１、２３２、２３３、２３４、２３５のエッジ２３０の合計長さは、９５０ｍｍ以上、好ましくは１２１４ｍｍ以上であることが好ましい。これにより、カメラ台３０２に対するエッジ２３０の食いつき作用により、三脚ねじ穴２２０の廻りの回転について高い抑制力を発揮する。
【００７９】
図２３は、他の取付面２０７の平面図である。取付面２０７は、次に説明する部分を除くと、図３から図１３までに示した他の取付面２００、２０１、２０２、２０３、２０４と同じ構造を有する。よって、共通の要素には同じ参照番号を付して重複する説明を省く。
【００８０】
取付面２０７は、それぞれが段差で囲まれた複数の凹部２３７、２３８、２３９を有する。一部の凹部２３７は、取付面２０７の長手方向に対して平行に配されるが、他の一部の凹部２３８は、三脚ねじ穴２２０から放射状に配される。さらに他の一部の凹部２３９は、取付面２０７の長手方向に直交した方向に配される。
【００８１】
すなわち、取付面２０７は、図１のＸＺ面内でＸ方向に延伸する凹部２３７、Ｚ方向に延伸する凹部およびＸ方向に対して斜めに延伸する凹部２３８を有する。凹部２３８は光軸に対しても斜めであり、よって、光軸に対して垂直に配される撮像素子に対しても斜めであることになる。
【００８２】
これにより、取付面２０７においては、三脚ねじ穴２２０の廻りの回転を抑制する複数のエッジ２３０が、図中に点線Ｂで示す三脚ねじ穴２２０の周囲の領域に形成される。よって、取付面２０７も、カメラ台３０２に対するカメラボディ１００の回転を抑制する作用を有する。
【００８３】
ここまで、一眼レフカメラを例にあげて説明したが、上記のような取付面の構造は、ノンレフレックスカメラにおいても適用できる。更に、コンパクトカメラ、ビデオカメラ等、様々な撮像装置に適用できる。
【００８４】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８５】
１００  カメラボディ、１０１  筐体、１０２  マウント、１０３  三脚ねじ、１１０  レンズユニット、２００、２０１、２０２、２０３、２０４、２０５、２０６、２０７  取付面、２１１  銘板枠、２２０三脚ねじ穴、２２９、２３１、２３２、２３３、２３４、２３５、２３７、２３８、２３９  凹部、２３０  エッジ、２３６  凸部、３００  三脚、３０１  雲台、３０２  カメラ台、３０３  カメラねじ、４００  摩擦力評価設備、４１０  定盤、４２０  コルクボード、４３０  試料、４４０  係止ピン、４５０  ロープ、４６０  プッシュプルゲージ、４７０  錘
【図１】
2014021395.tif 000003
【図２】
2014021395.tif 000004
【図３】
2014021395.tif 000005
【図４】
2014021395.tif 000006
【図５】
2014021395.tif 000007
【図６】
2014021395.tif 000008
【図７】
2014021395.tif 000009
【図８】
2014021395.tif 000010
【図９】
2014021395.tif 000011
【図１０】
2014021395.tif 000012
【図１１】
2014021395.tif 000013
【図１２】
2014021395.tif 000014
【図１３】
2014021395.tif 000015
【図１４】
2014021395.tif 000016
【図１５】
2014021395.tif 000017
【図１６】
2014021395.tif 000018
【図１７】
2014021395.tif 000019
【図１８】
2014021395.tif 000020
【図１９】
2014021395.tif 000021
【図２０】
2014021395.tif 000022
【図２１】
2014021395.tif 000023
【図２２】
2014021395.tif 000024
【図２３】
2014021395.tif 000025